(57)【要約】      （修正有）【課題】ＲＯ膜純水装置において、純水製造時に廃棄されていた水を利用可能とする方法を提供する。【解決手段】水道管より供給される水を、浄水処理器５にて処理したのち、加圧ポンプ７にて逆浸透膜処理する純水処理器９に供給する。そして、純水処理器９より排出される廃棄水を水道水路と浄水処理器５の間または浄水処理器５と加圧ポンプ７の間に返送して再利用するとともに、返送路から分岐する廃棄管から排出される廃棄水を雑用水や洗浄水として再利用する。【選択図】図４
2006289334.tif 000002
【特許請求の範囲】
【請求項１】
水道管より分岐供給される水を、浄水処理器に給水して浄水処理し、尚に前記浄水を加圧ポンプにて逆浸透膜処理する純水処理器より出水する廃棄水を、ホース又は水管を用いて、前記水道水路と浄水処理器ＩＮ側との間、又は前記浄水処理最終出水口ＯＵＴ側と前記加圧ポンプＩＮ側の間に連通分岐管を用いて連通し且つ、前記連通分岐管と前記純水処理器より出水する廃棄水出水口の間に尚に分岐管を用いて廃棄水を導入し、ホース等水管を用いて廃棄水吐水栓と連通し且つ、前記分岐管と連通分岐管との間に逆流防止弁部品を設置し、前記廃棄水出水栓の開閉を人意のままに開閉吐水させて、廃棄水の利用を可能にしたことを特徴とする逆浸透膜純水処理方法。
【発明の詳細な説明】
【技術分野】
【０００１】  本発明は、逆浸透膜純水装置に関する。
〔背景技術〕【０００２】  現在市場に見られる逆浸透膜純水装置においては、純水製造時には純水１に対して廃棄水は２から３の量であり、この廃棄水は使用者にとって多大な負担となっている。
この廃棄水の水量は、多量であれば多量なほど逆浸透膜の目詰まりは少なく、従って膜のライフは延長し、少量であれば少量なほど膜の目詰まりは短縮するが、これは純水製造時に膜の表面を常に洗浄する必要性からである。
〔発明の開示〕
〔発明が解決しようとする課題〕【０００３】  逆浸透膜純水装置における純水製造時に廃棄される水を利用可能とすることにある。
〔課題を解決するための手段〕【０００４】  現在市場に見られる逆浸透膜純水装置における純水製造時において出水する廃棄水を、繰り返し純水器ＩＮ側より加圧給水して、純水製造時には膜表面を洗浄させ且つ、廃棄水を人意のままに雑用水又は洗浄水として利用することを主要な特徴とする。
〔発明の効果〕【０００５】  前述の廃棄水は、既に浄水処理された水よりＲＯ膜純水器にて純水を採出した後の水ではあるが、再度繰り返して逆浸透膜純水器（以下ＲＯ膜純水器と称す）に給水して純水を採水しても、加圧ポンプにより逆浸透膜（以下ＲＯ膜と称す）表面を多量且つ高速に洗浄しているので膜のライフに影響を及ぼすことなく且つ、廃棄水出水栓を開口して雑用水に、あるいは食器類の洗浄水に用いることにより、常時膜表面を浄水で洗浄することが出来るので水の浪費は皆無となる。
この廃棄水出水栓から吐水する水の水質は、無論のことＲＯ膜前処理の浄水装置の性能により差は有るが、この現今の前処理浄水装置では０．１マイクロまで処理された水であり、ＲＯ膜表面を高速にて洗浄した後の水とは云え、食材の洗浄に用いることも推薦出来る。【０００６】  廃棄水出水栓の名称にて説明してはいるが、これは浄水採水栓の方が正しく、従来のＲＯ膜純水装置にはなかったもので、ＲＯ膜純水装置から浄水を採水することが出来ると云う効果が付帯される。
〔発明を実施するための最良の形態〕
水道管より分岐供給される水を、浄水処理器に給水して浄水処理し、尚に前記浄水を加圧ポンプにて逆浸透膜処理する純水処理器より出水する廃棄水を、ホース又は水管を用いて、前記水道水路と浄水処理器ＩＮ側との間、又は前記浄水処理最終出水口ＯＵＴ側と前記加圧ポンプＩＮ側の間に連通分岐管を用いて連通し且つ、前記連通分岐管と前記純水処理器より出水する廃棄水出水口の間に尚に分岐管を用いて廃棄水を導入し、ホース等水管を用いて廃棄水吐水栓と連通し且つ、前記分岐管と連通分岐管との間に逆流防止弁部品を設置し、前記廃棄水出水栓の開閉を人意のままに開閉吐水させて廃棄水の利用を可能としたことを特徴とする逆浸透膜純水処理方法。
〔実施例１〕【０００７】  以下本発明の第１実施例を図１ないし図４を参照して説明する。なお図上に示した符合は、同一部分には同一符合を付して説明する。【０００８】  図１及び図２は現在市場に見られる一般的なＲＯ膜純水装置であり、矢印は水の流れを示している。
水道管に取りつけた分岐水栓１より供給された水は、ホース等水管２３を経て浄水器５の入口５ＩＮより浄水系装置５に送水され、複数の浄水装置５に浄化され、浄水系装置５の出口５ＯＵＴよりホース等水管２３にて連通した圧力ポンプ７のＩＮ側ＰＩＮへ送入水し、圧力ポンプ７にて加圧され、ポンプ７の出水口ＰＯＵＴよりＲＯ膜純水器９の入口８より送入し、純水器９内のＲＯ膜により純水化された純水は純水出水口１０よりホース等水管２３にて連通した貯水タンク１２に貯水される。
純水処理時ＲＯ膜を洗浄する廃棄水２６も同時にＲＯ膜純水器９の廃棄水出水口２５より出水するが、この廃棄水２６は、ホース等水管２３Ｄより外部に放出される。
廃棄水２６の吐水先は、流し台の排水口、廃棄水溜め桶その他であるのが現今の使用方法である。【０００９】  貯水タンク１２より純水を採水する時は、図２に矢印にて示す如く、純水吐水栓１４のレバー１５を開口して純水を活性炭濾過器１３を経過させ、ホース等水管２３にて連通した純水吐水栓１４に至り純水吐水口１６より吐水する。【００１０】  図３は、図１及び図２において、廃棄水２６を放出させているホース等水管２３Ｄの先端を水道分岐栓１より供給されるホース等水管２３Ａと分岐管１８を用いて連通させ、且つ廃棄水吐水ホース等水管２３Ｄに分岐管１７を用いて廃棄水吐水栓１９までホース等水管２３にて連通させた説明図である。【００１１】  図上分岐管１７と分岐管１８との間に逆流防止弁２４を設置して、水の流れを矢印に示す如く、逆の流れを防止する。【００１２】  図３および図４の上に水の流れを矢印にて示すが、水の経路は図１にて説明したものと同一経路であり、廃棄水吐水管２３Ｄの先端を分岐管１８にて水道原水側の水管２３Ａと連通させる事により、図３上に示す如く廃棄水２６は循環され、純水貯水タンク１２に貯水される純水の水量分のみ原水からの供給がなされる。【００１３】  貯水タンク１２の圧力が一定量に達すると圧力センサー１１が検知し、圧力ポンプ７を停止させると同時に電磁弁６が作動して止水することも図１及び図２に示す現今のＲＯ純水製造装置と同様である。【００１４】  図４は、廃棄水吐水栓１９をレバー２０にて開口し、廃棄および浄水を吐水させている時での水の流れを矢印にて示す説明図である。
この時には、分岐管１７と分岐管１８との間の水の流れは、逆流防止弁２４の効果により無となる。【００１５】  廃棄水吐水栓レバー２０を開口位置にして廃棄水２６を出水利用する時において、貯水タンク１２が満水の時には図４にて水の経路を矢印で示すごとく、分岐水栓１よりの水は浄水系装置５を通過して、ＲＯ膜純水器９の廃棄水流程のみ流れてＲＯ膜を洗浄し、廃棄水吐水栓１９の廃棄水吐水口２１より吐水する。
ＲＯ純水器９の純水器出水口１０内には逆流防止部品が設置されている。【００１６】  図３は純水製造中で貯水タンク１２に純水を貯水している時の、図４は貯水タンク１２の満水時での廃棄水２６を廃棄水吐水栓１９より吐水させている時の、図５は貯水タンク１２へ純水を貯水する純水製造中での廃棄水２６を廃棄吐水栓１９より吐水させている時の夫々の時点の水の流れを矢印にて示している。
〔実施例２〕【００１７】  図５は図１に示す廃棄水吐水管２３Ｄの先端を、電磁弁６の入口側と浄水装置５の最終出水口５ＯＵＴとの間に分岐管２２にて連通させた説明図であり、水の流れは矢印にて示す。
この方法においても図３及び図４を用いて説明した実施例１同様に、ＲＯ膜による純水製造量分は浄水装置出口５ＯＵＴよりポンプ７の吸水力により浄水が供給され、廃棄水２６は矢印で示す如く高速循環してＲＯ膜の目詰まりを防止する。
〔産業上の利用可能性〕【００１８】  いかに健康を阻害する全ての物質を濾過する為とは云え、６０％も７０％も廃棄水として捨てている水に対して、どうしても納得しかねずに浪費と感じている消費者により歓迎される装置であり、尚且つＲＯ膜のライフを延長こそすれ短縮させることはないと云う利点がある。
【図面の簡単な説明】
【００１９】〔図１〕  一般的ＲＯ膜純水装置の説明図。
〔図２〕  一般的ＲＯ膜純水装置の説明図。
〔図３〕  実施例１に係るＲＯ膜純水装置の説明図。
〔図４〕  実施例１に係るＲＯ膜純水装置の説明図。
〔図５〕  実施例１に係るＲＯ膜純水装置の説明図。
〔図６〕  実施例２に係るＲＯ膜純水装置の説明図。
【符号の説明】
【００２０】１  分岐水栓
３  水流センサー
５  浄水装置
６  電磁弁
７  圧力ポンプ
８  ＲＯ膜純水器入口
９  ＲＯ膜純水器
１０  純水出水口
１１  圧力検知センサー
１２  貯水タンク
１３  活性炭濾過器
１４  純水吐水栓
１５  純水吐水レバー
１６  純水吐水口
１７  分岐管
１８  分岐管
１９  廃棄水吐水栓
２０  廃棄水吐水栓レバー
２１  廃棄水吐水口
２２  分岐管
２３  ホース等水管
２４  逆流防止弁
２５  純水器廃棄水出水口
２６  廃棄水
２３Ａ  ホース等水管
２３Ｂ  ホース等水管
２３Ｄ  廃棄水吐水ホース等水管
５ＩＮ  浄水装置入口
５ＯＵＴ  浄水装置出口
ＰＩＮ  圧力ポンプ入口
ＰＯＵＴ  圧力ポンプ出口
【図１】
2006289334.tif 000003
【図２】
2006289334.tif 000004
【図３】
2006289334.tif 000005
【図４】
2006289334.tif 000006
【図５】
2006289334.tif 000007
【図６】
2006289334.tif 000008